(57)【要約】【課題】  カラーフィルタ等の着色皮膜の欠陥を検出する。【解決手段】  少なくとも二色の着色皮膜が形成された検査対象物（１）に向かって光（ａ）を照射し、その反射光（ｂ）を干渉フィルタに通し、しかる後、撮像部で受光することにより撮像する撮像方法において、反射光（ｂ）を各色光に色分解し、各色光を各色と同色の干渉フィルタにそれぞれ通し、各干渉フィルタを通った各色光をそれぞれ撮像部で受光する。コントラストの高い干渉縞の画像を得ることができ、微小面積の着色皮膜の欠陥であっても検査することができる。また、反射光（ｂ）を色分解して各色ごとに干渉縞を得るようにするので、着色皮膜の全色について一度に不良を検査することが可能となる。【選択図】  図４
2005337799.tif 000002
【特許請求の範囲】
【請求項１】
少なくとも二色の着色皮膜が形成された検査対象物に向かって光を照射し、その反射光を干渉フィルタに通し、しかる後、撮像部で受光することにより撮像する撮像方法において、上記反射光を各色光に色分解し、各色光を各色と同色の干渉フィルタにそれぞれ通し、各干渉フィルタを通った各色光をそれぞれ撮像部で受光することを特徴とする撮像方法。
【請求項２】
請求項１に記載の撮像方法において、撮像部で撮像する干渉縞のコントラストが最大になるように検査対象物に対する照射光の入射角を調整することを特徴とする撮像方法。
【請求項３】
少なくとも二色の着色皮膜が形成された検査対象物に向かって光を照射する照射部と、検査対象物からの反射光を通す干渉フィルタと、干渉フィルタを通った光を受光する撮像部とを具備した撮像装置において、上記反射光を各色光に色分解する色分解手段と、色分解手段により色分解された各色光をそれぞれ通す各色と同色の干渉フィルタと、各干渉フィルタを通った各色光をそれぞれ受光する撮像部とを具備することを特徴とする撮像装置。
【請求項４】
請求項３に記載の撮像装置において、色分解手段が反射光の光路上に配置されたダイクロイックプリズムであることを特徴とする撮像装置。
【請求項５】
請求項３に記載の撮像装置において、色分解手段が反射光の光路上に配置された複数個のダイクロイックミラーであることを特徴とする撮像装置。
【請求項６】
請求項１乃至請求項５のいずれかに記載の撮像方法又は装置において、干渉フィルタが１０ｎｍ以下の半値幅を有することを特徴とする撮像方法又は装置。
【発明の詳細な説明】
【技術分野】
【０００１】
本発明は、カラーフィルタ等を撮像する方法及び装置に関する。
【背景技術】
【０００２】
液晶用カラーフィルタや有機ＥＬ等のディスプレイは、ガラス等透明な基板上に着色皮膜がコーティングされることにより形成される。例えば、液晶用のカラーフィルタ１は、図１（Ａ）（Ｂ）に示すように、ガラス基板６上にブラックマトリックス２、赤色（Ｒ）、（緑色）Ｇ、Ｂ（青色）の各着色皮膜３，４，５がコーティングされた構造となっている。ただし、図示例はカラーフィルタ１の一部のみ取り出して拡大したものであり、また、保護層等他の塗布皮膜の図示は省略している。
【０００３】
このカラーフィルタ１等におけるＲＧＢ等の着色皮膜３，４，５は、スピンコートもしくはダイコートで塗布した後、フォトリソグラフィによるパターンニングという工程で形成されるが、工程中において例えばＢの着色皮膜５の絵素に図２（Ａ）に示すように塵等の異物７が付着したり、同図（Ｂ）に示すように絵素の皮膜５が局所的に剥離したり、同図（Ｃ）に示すように露光不良により絵素の皮膜５が局所的に欠けたりする場合がある。また、図３（Ａ）に示すように、塵等の異物７が付着したまま、同図（Ｂ）のように着色塗料５ａを塗布し、露光、現像すると、同図（Ｃ）に示すように異物７が除去されても異物７の存在による絵素の皮膜５に厚さムラが生じる場合がある。このような異物７の付着、皮膜５の剥離、欠け、厚さムラ等が絵素に発生すると、そのカラーフィルタ１等を用いたディスプレイは質のよい画像を表示することができない。
【０００４】
そこで、カラーフィルタ１等は製造された直後に着色皮膜３，４，５の適否について検査され、許容し得ない欠陥のあるカラーフィルタ１等は検査後除去され良品のみが出荷される。また、検査により欠陥が生じていることが明らかになった場合は、その情報がカラーフィルタ１等の製造工程にフィードバックされ、製造工程の塗布装置等が調整される。
【０００５】
従来、カラーフィルタ１等を検査する場合、光を照射し、その反射光を干渉フィルタに通し、干渉フィルタを透過した干渉画像をラインセンサにより撮像し、この干渉画像データからカラーフィルタ等の良否を判別している（例えば、特許文献１参照。）。
【０００６】
また、従来カラーフィルタ１等における着色皮膜３，４，５の検査は、カラーフィルタ１等に着色皮膜３，４，５の上からナトリウムランプによりオレンジ色の光を照射し、その反射光から生じる干渉縞を観察することにより行われる場合もある。着色皮膜３，４，５が正常であれば、干渉縞が生じないか或いは一様な縞模様となって現れるが、例えばカラーフィルタ１に図２（Ａ）（Ｂ）（Ｃ）、図３（Ｃ）に示すような局所的に膜厚ムラが生じていると、図２（Ｄ）に示すような等高線状の干渉縞が現れる。検査者はこの干渉縞を観察して着色皮膜３，４，５の膜厚の良否を判断する。
【０００７】
【特許文献１】特開２００３−２６３６２７号公報
【発明の開示】
【発明が解決しようとする課題】
【０００８】
カラーフィルタ等に光を照射しその反射光を干渉フィルタを通してラインセンサにより受光する方法によれば、自動的に干渉縞を撮像することができるが、色数と同じ回数だけカラーフィルタを光で走査しなければならず検査作業が煩雑化する。
【０００９】
また、カラーフィルタ等にナトリウムランプからのオレンジ光を照射しそれによって生じる干渉縞を目視で検査する方法によれば、赤色と緑色の着色皮膜の良否については検査可能であるが、赤色と緑色のいずれの着色皮膜に欠陥があるのか判別することはできない。また、青色の着色皮膜についての欠陥についてはコントラストの高い画像を得難く、そのため青色の着色皮膜についての良否の判別が難しいという問題がある。また、図２及び図３に示したような絵素単位で生じる欠陥は、皮膜に数１００ｎｍ程度の膜厚不良となって現れるため、単に白色光やオレンジ光を照射しただけでは検出することが極めて困難である。
【００１０】
従って、本発明はこのような諸問題点を解決することができる撮像方法及び装置を提供することを目的とする。
【課題を解決するための手段】
【００１１】
上記課題を解決するため、請求項１に係る発明は、少なくとも二色の着色皮膜（３，４，５）が形成された検査対象物（１）に向かって光（ａ）を照射し、その反射光（ｂ）を干渉フィルタに通し、しかる後、撮像部で受光することにより撮像する撮像方法において、上記反射光（ｂ）を各色光（ｂ1，ｂ2，ｂ3）に色分解し、各色光を各色と同色の干渉フィルタ（９，１０，１１，２５，２６，２７）にそれぞれ通し、各干渉フィルタ（９，１０，１１，２５，２６，２７）を通った各色光をそれぞれ撮像部（１２，１３，１４，２７，２８，２９）で受光する撮像方法を採用する。
【００１２】
また、請求項２に係る発明は、請求項１に記載の撮像方法において、撮像部（１２，１３，１４，２７，２８，２９）で撮像する干渉縞のコントラストが最大になるように検査対象物（１）に対する照射光（ａ）の入射角（α）を調整する撮像方法を採用する。
【００１３】
また、請求項３に係る発明は、少なくとも二色の着色皮膜（３，４，５）が形成された検査対象物（１）に向かって光（ａ）を照射する照射部（８）と、検査対象物（１）からの反射光（ｂ）を通す干渉フィルタと、干渉フィルタを通った光を受光する撮像部とを具備した撮像装置において、上記反射光を各色光（ｂ1，ｂ2，ｂ3）に色分解する色分解手段（１９ａ，１９ｂ，１９ｃ，２３，２４）と、色分解手段（１９ａ，１９ｂ，１９ｃ，２３，２４）により色分解された各色光（ｂ1，ｂ2，ｂ3）をそれぞれ通す各色と同色の干渉フィルタ（９，１０，１１）と、各干渉フィルタ（９，１０，１１）を通った各色光（ｂ1，ｂ2，ｂ3）をそれぞれ受光する撮像部（１２，１３，１４，２７，２８，２９）とを具備する撮像装置を採用する。
【００１４】
また、請求項４に係る発明は、請求項３に記載の撮像装置において、色分解手段が反射光（ｂ）の光路上に配置されたダイクロイックプリズム（１９ａ，１９ｂ，１９ｃ）である撮像装置を採用する。
【００１５】
また、請求項５に係る発明は、請求項３に記載の撮像装置において、色分解手段が反射光（ｂ）の光路上に配置された複数個のダイクロイックミラー（２３，２４）である撮像装置を採用する。
【００１６】
また、請求項６に係る発明は、請求項１乃至請求項５のいずれかに記載の撮像方法又は装置において、干渉フィルタ（９，１０，１１，２５，２６，２７）が１０ｎｍ以下の半値幅を有する撮像方法又は装置を採用する。
【発明の効果】
【００１７】
請求項１に係る発明によれば、少なくとも二色の着色皮膜（３，４，５）が形成された検査対象物（１）に向かって光（ａ）を照射し、その反射光（ｂ）を干渉フィルタに通し、しかる後、撮像部で受光することにより撮像する撮像方法において、上記反射光（ｂ）を各色光（ｂ1，ｂ2，ｂ3）に色分解し、各色光を各色と同色の干渉フィルタ（９，１０，１１，２５，２６，２７）にそれぞれ通し、各干渉フィルタ（９，１０，１１，２５，２６，２７）を通った各色光をそれぞれ撮像部（１２，１３，１４，２７，２８，２９）で受光する撮像方法であるから、コントラストの高い干渉縞の画像を得ることができる。従って、着色皮膜（３，４，５）の微小面積部分の欠陥であっても検査することができる。また、反射光（ｂ）を色分解して各色ごとに干渉縞を得るようにするので、着色皮膜（３，４，５）の全色について一度に不良を検査することが可能となり、検査対象物（１）の検査工程が簡易かつ迅速化される。
【００１８】
請求項２に係る発明によれば、請求項１に記載の撮像方法において、撮像部（１２，１３，１４，２７，２８，２９）で撮像する干渉縞のコントラストが最大になるように検査対象物（１）に対する照射光（ａ）の入射角（α）を調整する撮像方法であるから、コントラストの高い干渉縞の画像を得ることができる。従って、絵素のごとき微小面積部分の膜厚不良であっても検査することが可能である。
【００１９】
請求項３に係る発明によれば、少なくとも二色の着色皮膜（３，４，５）が形成された検査対象物（１）に向かって光（ａ）を照射する照射部（８）と、検査対象物（１）からの反射光（ｂ）を通す干渉フィルタと、干渉フィルタを通った光を受光する撮像部とを具備した撮像装置において、上記反射光を各色光（ｂ1，ｂ2，ｂ3）に色分解する色分解手段（１９ａ，１９ｂ，１９ｃ，２３，２４）と、色分解手段（１９ａ，１９ｂ，１９ｃ，２３，２４）により色分解された各色光（ｂ1，ｂ2，ｂ3）をそれぞれ通す各色と同色の干渉フィルタ（９，１０，１１）と、各干渉フィルタ（９，１０，１１）を通った各色光（ｂ1，ｂ2，ｂ3）をそれぞれ受光する撮像部（１２，１３，１４，２７，２８，２９）とを具備するので、コントラストの高い干渉縞の画像を得ることができる。従って、着色皮膜（３，４，５）の微小面積の欠陥であっても検査することが可能である。また、反射光（ｂ）を色分解して各色ごとに干渉縞を得るので、着色皮膜（３，４，５）の全色について一度に不良を検査することが可能となり、検査対象物（１）の検査工程が簡易かつ迅速化される。
【００２０】
請求項４に係る発明によれば、請求項３に記載の撮像装置において、色分解手段が反射光（ｂ）の光路上に配置されたダイクロイックプリズム（１９ａ，１９ｂ，１９ｃ）であるから、撮像装置を小型化、簡素化することができる。
【００２１】
請求項５に係る発明によれば、請求項３に記載の撮像装置において、色分解手段が反射光（ｂ）の光路上に配置された複数個のダイクロイックミラー（２３，２４）であるから、反射光（ｂ）を簡易に色分解することができる。
【００２２】
請求項６に係る発明によれば、請求項１乃至請求項５のいずれかに記載の撮像方法又は装置において、干渉フィルタ（９，１０，１１，２５，２６，２７）が１０ｎｍ以下の半値幅を有するから、コントラストの高い干渉縞の画像を得て着色皮膜（３，４，５）の良否について適正な判断をすることができ、検査精度を高めることができる。
【発明を実施するための最良の形態】
【００２３】
以下、図面を参照して本発明を実施するための最良の形態について説明する。
【００２４】
＜実施の形態１＞
この実施の形態１に係る撮像方法は、赤色（Ｒ）、緑色（Ｇ）、青色（Ｂ）の各着色皮膜が形成された検査対象物に向かって光を照射し、その反射光を干渉フィルタに通し、しかる後、撮像部で受光することにより撮像するものであるが、上記反射光を各色光に色分解したうえで、各色光を各色と同色の干渉フィルタにそれぞれ通し、しかる後、各干渉フィルタを通った各色光をそれぞれ撮像部で受光しようというものである。
【００２５】
この実施の形態１において、検査対象物は図１（Ａ）（Ｂ）に示した液晶ディスプレイ用のカラーフィルタ１として説明する。このカラーフィルタ１は、同図（Ａ）に示すように、ガラス板等の透明な基板６上にブラックマトリックスのほかＲＧＢの着色皮膜３，４，５を積層した構造を有する。
【００２６】
この撮像方法を実施する撮像装置は、図４、図５及び図６（Ａ）に示すように、着色皮膜３，４，５が形成された検査対象物であるカラーフィルタ１に向かって光ａを照射する照射部８と、カラーフィルタ１からの反射光ｂを各色光ｂ1、ｂ2、ｂ3に色分解する色分解手段と、色分解手段により色分解された各色光ｂ1、ｂ2、ｂ3をそれぞれ通す各色と同色の干渉フィルタ９，１０，１１と、各干渉フィルタ９，１０，１１を通った各色光をそれぞれ受光する撮像部１２，１３，１４とを備える。
【００２７】
撮像装置内には、カラーフィルタ１の搬送手段であるローラコンベア１５が水平に配置される。図９に示すように、ローラコンベア１５は処理部１６であるコンピュータにより制御されるシーケンサ１７により駆動される。カラーフィルタ１はローラコンベア１５上を水平状態で一方向に走行する。
【００２８】
照射部８の光源としては、白色蛍光灯が用いられる。その他ハロゲンランプ、メタルハライドランプ等も光源として使用可能である。低圧ナトリウムランプ、レーザー等のように発光スペクトルの狭い可干渉性を有する光源を使用するのは好ましくない。図４に示すように、照射部８はローラコンベア１５上でカラーフィルタ１を横切るようにライン状に配置される。また、入射角αでカラーフィルタ１を照射するように配置される。図９に示すように、照射部８の光源は処理部１６で制御される高周波点灯電源１８により作動する。
【００２９】
色分解手段としては、図５に示すように、ダイクロイックプリズム１９ａ，１９ｂ，１９ｃが用いられる。ダイクロイックプリズム１９ａ，１９ｂ，１９ｃは、照射光ａがカラーフィルタ１上で反射した反射光ｂの光路上に配置され、反射光ｂを青色光ｂ3、赤色光ｂ1、緑色光ｂ2にそれぞれ色分解する。ダイクロイックプリズム１９ａ，１９ｂ，１９ｃにおける青色光ｂ3、赤色光ｂ1、緑色光ｂ2の各出射部上には各出射方向に向かって干渉フィルタ１１，９，１０と撮像部１４，１２，１３が順に配置される。ダイクロイックプリズム１９ａ，１９ｂ，１９ｃ、干渉フィルタ９，１０，１１及び撮像部１２，１３，１４はＣＣＤカメラ２０として一つの筐体内に纏めて収納される。
【００３０】
ダイクロイックプリズム１９ａは上記入射角αに等しい反射角βの方向に配置される。上記照射部８からの照射光ａはＲ、Ｇ、Ｂの着色皮膜３，４，５の表面で反射すると共に着色皮膜３，４，５を透過して基板６との界面で反射し干渉縞を含んだ画像として、ダイクロイックプリズム１９ａ，１９ｂ，１９ｃで色分解され、さらに各干渉フィルタ９，１０，１１を透過した後、各撮像部１２，１３，１４の撮像素子により撮像される。
【００３１】
干渉フィルタ９，１０，１１としてはスペクトルの幅が狭く透過特性を得やすい薄膜蒸着タイプのフィルタを使用するのがコントラストの高い干渉縞を得るうえで望ましいが、照射部８の光源の特性次第では吸収型色ガラス、ゼラチンフィルタ等も使用可能である。干渉フィルタ９，１０，１１の主波長には、検査対象の皮膜について透過率の高い波長が選択される。例えば、図８に示すように緑色の皮膜４については５４０〜５５０ｎｍの主波長域を有する干渉フィルタ１０が用いられる。これにより、コントラストの良い干渉縞を得ることができる。また、干渉フィルタ９，１０，１１としては望ましくは１０ｎｍ以下の半値幅γを有するものが使用され、このような半値幅γの干渉フィルタ９，１０，１１を用いることによりコントラストの高い干渉縞を得ることができる。また、干渉フィルタ９，１０，１１は、検査対象物であるカラーフィルタ１の着色皮膜３，４，５とそれぞれ同色のものが使用される。これにより、さらにコントラストの高い干渉縞を得ることができる。
【００３２】
撮像部１２，１３，１４は、カラーフィルタ１で使用する各色の着色皮膜３，４，５の全てを同時に撮像し検査するため、着色皮膜３，４，５に使用している色と同数設けられる。各撮像部１２，１３，１４内の撮像素子は例えばＣＣＤであり、ローラコンベア１５上のカラーフィルタ１を横切るように撮影するラインセンサ又はエリアセンサとして機能する。図９に示すように、撮像素子１２，１３，１４はそれぞれ処理部１６で制御される駆動装置２１により作動する。
【００３３】
カラーフィルタ１に対する上記照射部８からの照射光ａの入射角αとダイクロイックプリズム１９ａに向かう反射光ｂの反射角βは、撮像部１２，１３，１４で撮像する干渉縞のコントラストが最大になるように調整される。入射角αと反射角βは望ましくはそれぞれ２０〜６０度である。例えば図６（Ａ）に示すように入射角αが小さ過ぎると照射光ａが着色皮膜３，４，５と基板６を透過し着色皮膜３，４，５の表面及び着色皮膜３，４，５と基板６との界面で反射がほとんど生じないので干渉縞を得難くなる。また、同図（Ｂ）に示すように入射角αが大き過ぎると着色皮膜３，４，５の表面で反射する割合が大きく着色皮膜３，４，５に入射する成分が小さいため干渉縞を得難くなる。図６（Ｃ）に示すように、入射角αと反射角βがそれぞれ２０〜６０度である場合は、干渉縞のコントラストが高くなる。
【００３４】
入射角は具体的には次のようにして決定する。すなわち、図７に示すように、入射角（光路長）と反射光量との関係を算出し、同図中符号Ｉで示すように反射光量の極大値又は極小値に対応する角度を入射角αに設定する。図７中Ｉの箇所では光路長が適度な長さになって干渉縞のコントラストが向上する。入射角αと反射角βがそれぞれ２０度〜６０度程度であれば検査に支障がない程度のコントラストを得ることができる。カラーフィルタ１に許容される皮膜の厚さが干渉縞の周期の半分に相当する場合、図７Ｉの入射角では干渉縞の輝度変化の最大値−最小値が正常部に対する欠陥部の輝度値となるため、図７ＩＩの場合と比較して正常部に対する欠陥部の輝度差が大きくなり、干渉縞のコントラストが向上し検査しやすくなる。
【００３５】
図４及び図９に示すように、この撮像装置のＣＣＤカメラ２０の撮像部１２，１３，１４で撮像された画像は処理部１６に送られる。
【００３６】
上記照射部８からの照射光ａはカラーフィルタ１におけるＲ、Ｇ、Ｂの着色皮膜３，４，５の表面で反射すると共に当該着色皮膜３，４，５を透過して基板６との界面で反射し干渉縞を含んだ反射光ｂとしてダイクロイックプリズム１９ｂ，１９ｃ，１９ａで色分解され、各干渉フィルタ９，１０，１１を透過する。干渉フィルタ９，１０，１１を透過した各色光は、高コントラストの干渉縞となって各撮像部１２，１３，１４に受光される。処理部１６は各撮像部１２，１３，１４から送られる各色の画像信号を受信し、各色の皮膜３，４，５の画像情報に基づいて着色皮膜３，４，５の良否を判別する。この判別は、隣接したパターン同士の比較により行うことができる。この方法は一般的な公知の方法であるから、詳細な説明は省略する。
【００３７】
次に、上記構成の撮像装置の作用について説明する。
【００３８】
図４に示すように、ローラコンベア１５を駆動し、カラーフィルタ１を着色皮膜３，４，５を上にしてローラコンベア１５上に供給する。
【００３９】
カラーフィルタ１はローラコンベア１５上を定速度で走行し、このカラーフィルタ１に照射部８の光源から白色光を照射する。この光の一部はＲ、Ｇ、Ｂの着色皮膜３，４，５の表面で反射し、他の一部がこれらの着色皮膜３，４，５を透過して基板６との界面で反射し、これらの反射光ｂをダイクロイックプリズム１９ａ，１９ｂ，１９ｃが受けて色分解を行う。
【００４０】
ダイクロイックプリズム１９ａ，１９ｂ，１９ｃにより色分解された各色光はそれぞれ干渉フィルタ１１，９，１０を透過し、それぞれ撮像部１４，１２，１３の撮像素子により受光される。
【００４１】
処理部１６は各撮像部１４，１２，１３からの画像信号を得てカラーフィルタ１の着色皮膜３，４，５の良否について判断する。検査結果はサーバー２２に保存され、後の工程等で参照される。
【００４２】
処理部１６において良品と判断されたカラーフィルタ１は次の製造工程に送られ、不良品と判断されたカラーフィルタ１は製造工程から除去される。
【００４３】
＜実施の形態２＞
この実施の形態２の撮像装置では実施の形態１の場合と相違し、色分解手段として反射光の光路上に配置された複数個のダイクロイックミラーが使用される。
【００４４】
具体的には、図１０に示すように、反射光ｂの光路上に二つのダイクロイックミラー２３，２４が配置され、各ダイクロイックミラー２３，２４でそれぞれ色分解された青色光ｂ3、赤色光ｂ1及び緑色光ｂ2の各光路上にカラーフィルタ１の着色皮膜５，３，４と同色即ち青色、赤色、緑色の各干渉フィルタ２５，２６，２７が配置され、その後方に各色光ごとに撮像部であるＣＣＤカメラ２７，２８，２９が配置される。
【００４５】
その他の構成は実施の形態１の場合と同様であるからその説明は省略する。
【００４６】
なお、上記実施の形態１，２において、検査対象物を図１に示す液晶ディスプレイ用カラーフィルタ１としたが、本発明によれば液晶ディスプレイ用カラーフィルタ１に限らず有機ＥＬディスプレイ用基板等も検査対象とすることができる。また、図４、図６（Ｃ）及び図１０に示すように、検査対象物の裏面側にも受光用のＣＣＤカメラ３０を設置し、検査対象物を透過する光をこのＣＣＤカメラ３０で撮像することにより基板６の良否を検査することも可能である。
【図面の簡単な説明】
【００４７】
【図１】本発明に係る撮像方法及び装置が対象とするカラーフィルタを模式的に示した図であり、（Ａ）はカラーフィルタの部分拡大平面図、（Ｂ）はカラーフィルタの部分拡大垂直断面図である。
【図２】着色皮膜に欠陥があるカラーフィルタを模式的に示した図であり、（Ａ）は一つの絵素に異物が付着したカラーフィルタの垂直断面図、（Ｂ）は一つの絵素に皮膜剥離が生じたカラーフィルタの垂直断面図、（Ｃ）は一つの絵素に露光不良による皮膜の欠落が生じたカラーフィルタの垂直断面図、（Ｄ）は欠陥部の表面に生じた干渉縞を示す。
【図３】カラーフィルタの着色皮膜に欠陥が生じる過程を模式的に示した図であり、（Ａ）はブラックマトリックス上に異物が付着した状態、（Ｂ）は着色剤の塗料を塗布した状態、（Ｃ）は露光、現像後の状態を示す。
【図４】本発明に係る撮像装置の一例を示す斜視図である。
【図５】図４に示す撮像装置における撮像部の色分解手段の一例を示す説明図である。
【図６】カラーフィルタに対する照射部と撮像部との角度関係において、（Ａ）は入射角が小さすぎて干渉縞を得ることができない場合を示し、（Ｂ）は入射角が大きすぎて干渉縞を得ることができない場合を示し（Ｃ）は適度な入射角により干渉縞を得ることができる場合を示す。
【図７】反射光量と干渉縞のコントラストとの関係を示すグラフである。
【図８】緑色の着色皮膜の透過スペクトルと干渉フィルタの透過スペクトルとの関係を示すグラフである。
【図９】図４に示す撮像装置のブロック図である。
【図１０】本発明の他の実施の形態に係る撮像装置を示す説明図である。
【符号の説明】
【００４８】
１…カラーフィルタ
３，４，５…着色皮膜
９，１０，１１，２５，２６，２７…干渉フィルタ
１２，１３，１４，２７，２８，２９…撮像部
１９ａ，１９ｂ，１９ｃ…ダイクロイックプリズム
２３，２４…ダイクロイックミラー
ａ…照射光
α…照射光の入射角
ｂ…反射光
ｂ1，ｂ2，ｂ3…色分解された各色光
【図１】
2005337799.tif 000003
【図２】
2005337799.tif 000004
【図３】
2005337799.tif 000005
【図４】
2005337799.tif 000006
【図５】
2005337799.tif 000007
【図６】
2005337799.tif 000008
【図７】
2005337799.tif 000009
【図８】
2005337799.tif 000010
【図９】
2005337799.tif 000011
【図１０】
2005337799.tif 000012